(57)【要約】【課題】コモンモードの雷サージに対して有効に機能するサージ電圧吸収回路を備えた電源装置を提供する。【解決手段】一対の交流入力端子間に接続されコモンモードノイズを遮断するためのフィルタ回路（１１）と、一対の交流入力端子に入力された交流電圧を整流する整流回路（１２）と、該整流回路で整流された電圧が一次側巻き線に印加されるトランス（ＴＲ）と、一次側巻き線に接続されたスイッチング素子（ＳＷ）と、該スイッチング素子をオン、オフ制御する一次側制御回路と、トランスの二次側巻き線に接続された整流回路（Ｄ２，Ｃ２）とを備えた電源装置において、一次側の電源ラインと二次側の接地点との間に、放電管（１４）と所定の絶縁間隔をおいて一対の電極が対向配置されてなる放電ギャップ手段（１５）とが直列に接続されたサージ電圧吸収回路を設けるようにした。【選択図】図１
2020102982.tif 000002
【特許請求の範囲】
【請求項１】
一対の交流入力端子間に接続されコモンモードノイズを遮断するためのフィルタ回路と、前記交流入力端子に入力された交流電圧を整流する整流回路と、該整流回路で整流された電圧が一次側巻き線に印加されるトランスと、前記一次側巻き線に接続されたスイッチング素子と、該スイッチング素子をオン、オフ制御する一次側制御回路と、前記トランスの二次側巻き線に接続された整流回路と、を備えた電源装置であって、
前記一対の交流入力端子のいずれか一方の端子に接続された一次側の電源ラインと二次側の接地点との間に、放電管と所定の絶縁間隔をおいて一対の電極が対向配置されてなる放電ギャップ手段とが直列形態に接続されたサージ電圧吸収回路が設けられていることを特徴とする電源装置。
【請求項２】
前記一対の交流入力端子のうち一方の端子と前記フィルタ回路との間にはヒューズ素子が接続され、
前記サージ電圧吸収回路の一方の端子は前記ヒューズ素子と前記フィルタ回路との接続ノードに接続され、
前記サージ電圧吸収回路の他方の端子は二次側の接地電位が印加される出力端子に接続されていることを特徴とする請求項１に記載の電源装置。
【請求項３】
前記放電ギャップ手段の一対の電極の互いに対向する側には角部が形成されていることを特徴とする請求項１又は２に記載の電源装置。
【請求項４】
前記一対の電極が形成される基板の前記電極間には前記絶縁間隔を形成するためのスリットが形成されていることを特徴とする請求項１〜３のいずれかに記載の電源装置。
【請求項５】
前記フィルタ回路は、一対のコイルを有するコモンモードコイルもしくはラインフィルタにより構成され、
前記コモンモードコイルもしくはラインフィルタを構成する前記一対のコイルと並列にそれぞれ放電管が接続されていることを特徴とする請求項１〜４のいずれかに記載の電源装置。
【請求項６】
前記トランスは、一次側巻き線と二次側巻き線がそれぞれ一層で形成されたトランスであることを特徴とする請求項１〜５のいずれかに記載の電源装置。
【請求項７】
前記トランスの一次側巻き線の接地側と二次側巻き線の接地側との間には、２個のＹコンデンサが直列に接続されていることを特徴とする請求項１〜６のいずれかに記載の電源装置。
【発明の詳細な説明】
【技術分野】
【０００１】
本発明は、本発明は、雷サージ特に誘導雷のサージによる破壊を防止するためのサージ電圧吸収回路を備えた電源装置に関し、例えばトランスを有するスイッチングレギュレータ方式のＡＣ−ＤＣコンバータに利用して好適な技術に関する。
【背景技術】
【０００２】
電源装置は、ＡＣ電源ラインへ侵入する誘導雷等によるサージによって破壊されることがあり、その際に電源装置に接続されているセット（負荷装置）が同時に破損することもある。
従来、雷サージによる破壊を防止するためのサージ電圧吸収回路としては、例えば、ＡＣ入力端子とコモンモードノイズを遮断するためのフィルタとの間に、アレスタ（放電管：ＧＤＴ）もしくは放電ギャップやバリスタからなるサージ電圧吸収回路を設けることが知られている（特許文献１、２参照）。
【先行技術文献】
【特許文献】
【０００３】
【特許文献１】特開平９−１７２７３３号公報
【特許文献２】特開２００１−１４８２７７号公報
【特許文献３】特開２０１３−１９２３３２号公報
【発明の概要】
【発明が解決しようとする課題】
【０００４】
電源装置へ侵入する雷サージには、ＡＣライン間に印加されるもの（ノーマルモードサージ）と、ＡＣラインと大地アース(ＧＮＤ)との間へ印加されるもの（コモンモードサージ）がある。
特許文献１や２に開示されているサージ電圧吸収回路は、ノーマルモードサージには有効であるが、コモンモードサージには有効に機能しないという課題がある。
【０００５】
なお、従来、コモンモード雷サージの対策として、トランスを挟んで一次側ＡＣラインと二次側の接地点（ＧＮＤ：アース）との間に、アレスタとバリスタを直列に設ける手法が考えられている。例えば、特許文献３には、太陽光発電用のパワーコンディショナにおいて、トランスを挟んで一次側と二次側との間に、アレスタとバリスタの直列回路からなるサージ防止素子を設けることが記載されている。
しかし、上記手法は、人が接触する可能性がある導電部に保護接地が施されたClass1機器用の電源装置には有効であるものの、保護接地（アース）の手段が設けられていないClass2機器用の電源装置には採用することができない。また、電気用品安全法の別表第八より、Class2機器でもアレスタとバリスタを直列に設ける手法を採用可能な場合があるが、採用の範囲は限定される。さらに、電源装置には絶縁耐圧が要求されるため、放電開始電圧を自由に下げることはできないという課題がある。
【０００６】
一方、コモンモードサージに対する耐性を強化する他の手法として、一次側ＡＣラインと二次側のアース(ＧＮＤ)との間に、放電ギャップを設ける手法が考えられる。しかしながら、放電ギャップを設ける対策手法では、放電ギャップの距離、パターンの形状、フラックスの付着、煤の付着等より、安定した放電や放電開始電圧を一定にすることが困難である。また、放電ギャップの間隔も安全規格から必要距離が一義的に決まってしまい、自由に決めることができないという課題がある。
【０００７】
この発明は上記のような課題に着目してなされたもので、その目的とするところは、特にコモンモードの雷サージに対して有効なサージ電圧吸収機能を備え、電源装置を構成する部品さらには電源装置に接続される負荷装置を構成する部品を、雷サージから保護し破損に至るのを防止することができる電源装置を提供することにある。
【課題を解決するための手段】
【０００８】
上記目的を達成するため、この発明は、
一対の交流入力端子間に接続されコモンモードノイズを遮断するためのフィルタ回路と、前記交流入力端子に入力された交流電圧を整流する整流回路と、該整流回路で整流された電圧が一次側巻き線に印加されるトランスと、前記一次側巻き線に接続されたスイッチング素子と、該スイッチング素子をオン、オフ制御する一次側制御回路と、前記トランスの二次側巻き線に接続された整流回路と、を備えた電源装置において、
前記一対の交流入力端子のいずれか一方の端子に接続された一次側の電源ラインと二次側の接地点との間に、放電管と、所定の絶縁間隔をおいて一対の電極が対向配置されてなる放電ギャップ手段とが直列形態に接続されたサージ電圧吸収回路が設けられているように構成したものである。
【０００９】
上記した手段によれば、いずれか一方の一次側の電源ラインと二次側の接地点との間に放電ギャップ手段が接続されているため、各国の安全規格に要求される絶縁距離を確保しつつ、コモンモードの雷サージに対する放電ギャップを設けることができ、雷サージを吸収することができる。その結果、コモンモードの雷サージから電源装置を構成する部品さらには電源装置に接続される負荷装置を構成する部品を保護し、破損に至るのを防止することができる。また、放電ギャップ手段と直列に放電管（アレスタ）が接続されているため、所望の放電特性を有する放電管を選択して使用することで放電開始電圧を容易に調整することができる。
【００１０】
ここで、望ましくは、前記一対の交流入力端子のうち一方の端子と前記フィルタ回路との間にはヒューズ素子が接続され、
前記サージ電圧吸収回路の一方の端子は前記ヒューズ素子と前記フィルタ回路との接続ノードに接続され、
前記サージ電圧吸収回路の他方の端子は二次側の接地電位が印加される出力端子に接続されているように構成する。
【００１１】
このように構成することによって、放電管（アレスタ）−放電ギャップ手段の直列回路の一方の端子（アレスタ側端子）を、ヒューズのあるライブ側のＡＣラインに接続する場合、アレスタの端子をフィルタ回路の後段に接続すると、ＬＣ共振により残留電圧が増幅され、後段回路が破損するおそれがあるが、アレスタの端子をヒューズとフィルタ回路との間に接続することでＬＣ共振による後段回路の破損を抑制することができる。放電ギャップ手段は、電子部品としての放電ギャップ素子でもよいし、基板上に形成された導電体パターンからなるものであっても良い。
【００１２】
また、望ましくは、前記放電ギャップ手段の一対の電極の互いに対向する側には角部が形成されているように構成する。
放電ギャップ手段の電極の対向する側に角部が形成されていることにより、コモンモードの雷サージがＡＣ入力端子より侵入した際に、電荷が角部に集中して放電電流が飛び易くなるとともに、放電開始電圧がばらつくのを回避することができる。
【００１３】
また、望ましくは、前記一対の電極が形成される基板の前記電極間には前記絶縁間隔を形成するためのスリットを形成する。
放電ギャップ手段の一対の電極間にスリットが形成されていることにより、放電ギャップ手段が実装される基板の表面に煤等が付着して放電機能が損なわれたり放電開始電圧が変化したりしてしまうのを防止することができる。
【００１４】
さらに、望ましくは、前記フィルタ回路は、一対のコイルを有するコモンモードコイルもしくはラインフィルタにより構成され、
前記コモンモードコイルもしくはラインフィルタを構成する前記一対のコイルと並列にそれぞれ放電管が接続されているように構成する。
これにより、ノーマルモードサージやコモンモードサージの侵入時にコモンモードコイルもしくはラインフィルタ、ＸコンデンサなどによるＬＣ共振が発生することで、後段回路が破損されるのを防止することができる。
【００１５】
さらに、望ましくは、前記トランスは、一次側巻き線と二次側巻き線がそれぞれ一層で形成されたトランスであるようにする。
これにより、巻き線間に発生する線間容量を減らして絶縁を強化し、一次側巻き線と二次側巻き線との間で放電現象が起こらないようにすることができる。
【００１６】
さらに、望ましくは、前記トランスの一次側巻き線の接地側と二次側巻き線の接地側との間には、２個のＹコンデンサが直列に接続されているように構成する。
これにより、トランスの一次側巻き線と二次側巻き線との間の耐圧を高めることができ、それによって意図しない箇所での放電を防ぎ、放電箇所をアレスタ−放電ギャップ手段の直列回路からなるサージ電圧吸収回路部分に限定させ、コモンモードの雷サージを有効に吸収することができる。
【発明の効果】
【００１７】
本発明に係る電源装置によれば、特にコモンモードの雷サージに対して有効なサージ電圧吸収機能を備え、電源装置を構成する部品さらには電源装置に接続される負荷装置を構成する部品を、雷サージから保護し破損に至るのを防止することができるという効果がある。
【図面の簡単な説明】
【００１８】
【図１】本発明を適用した電源装置としてのＡＣ−ＤＣコンバータの一実施形態を示す回路構成図である。
【図２】（Ａ）〜（Ｄ）は、図１の実施形態の電源装置における放電ギャップ手段の具体例を示す平面図である。
【図３】本発明を適用した電源装置としてのＡＣ−ＤＣコンバータの第２の実施形態を示す回路構成図である。
【発明を実施するための形態】
【００１９】
以下、本発明の好適な実施の形態を図面に基づいて説明する。
（第１実施形態）
図１は、本発明に係る電源装置として、例えばＡＣアダプタに使用されるＡＣ−ＤＣコンバータの一実施形態を示す回路構成図である。
この実施形態の電源装置は、ノーマルモードノイズを減衰するためにＡＣ入力端子ＩＮ１，ＩＮ２間に接続されたＸコンデンサＣｘとコモンモードコイル（ラインフィルタとも呼ばれる）Ｌｃからなるコモンモードノイズ遮断用のフィルタ回路１１と、交流電圧（ＡＣ）を整流するダイオード・ブリッジ回路１２と、整流後の電圧を平滑する平滑用コンデンサＣ１と、一次側巻き線Ｎｐと二次側巻き線Ｎｓを有する電圧変換用のトランスＴＲを備える。
【００２０】
また、本実施形態の電源装置、トランスＴＲの一次側巻き線Ｎｐと直列に接続されたＮチャンネルＭＯＳＦＥＴ（絶縁ゲート型電解効果トランジスタ：以下、ＭＯＳトランジスタ）からなるスイッチングトランジスタＳＷと、該スイッチングトランジスタＳＷを駆動する一次側制御回路１３を有する。一次側制御回路１３は、単結晶シリコンのような１個の半導体チップ上に半導体集積回路（以下、電源制御用ＩＣと称する）として形成されたものを使用することができる。スイッチングトランジスタＳＷは、雷サージの侵入時に破壊されないようにするため、ドレイン−ソース間耐圧が例えば８００Ｖ以上の素子を使用するのが望ましい。なお、スイッチングトランジスタＳＷは、バイポーラ・トランジスタであってもよい。
【００２１】
上記トランスＴＲの二次側には、二次側巻き線Ｎｓと直列に接続された整流用ダイオードＤ２と、このダイオードＤ２のカソード端子と二次側巻き線Ｎｓの他方の端子との間に接続された平滑用コンデンサＣ２とが設けられ、一次側巻き線Ｎｐに間欠的に電流を流すことで二次側巻き線Ｎｓに誘起される交流電圧を整流し平滑することによって、一次側巻き線Ｎｐと二次側巻き線Ｎｓとの巻き線比に応じた直流電圧Ｖoutを出力する。二次側回路は、整流用ダイオードＤ２の代わりにＭＯＳトランジスタを使用した同期整流方式の回路として構成しても良い。
【００２２】
ＯＵＴ１，ＯＵＴ２は負荷となる装置が接続される二次側の出力端子であり、このうちＯＵＴ２には負荷装置を介して接地電位ＧＮＤが印加される。
なお、図示しないがトランスＴＲの二次側には、一次側のスイッチング動作で生じたスイッチングリップル・ノイズ等を遮断するためのフィルタ回路や、出力電圧Ｖoutを検出する出力電圧検出回路が設けられるとともに、一次側と二次側との間には、検出した出力電圧に応じた信号を一次側制御回路１３へ伝達するフォトカプラのような絶縁型信号伝達手段が設けられる場合もある。
【００２３】
トランスには一次側と二次側の巻き線をそれぞれ絶縁シートを挟んで多層に形成しているものもあるが、巻き線を一層に形成したものを上記トランスＴＲとして用いることによって巻き線間容量を減らして絶縁を強化し、一次側巻き線Ｎｐと二次側巻き線Ｎｓとの間で放電現象が起きにくくなるようにすると良い。
また、ＥＭＣ（電磁妨害波）対策のためにトランスＴＲに対して電磁シールドを施す場合には、トランスＴＲの表面に絶縁テープ等を被着して、トランスＴＲと電磁シールドとの間に絶縁体を介在させることで絶縁距離を確保すると良い。
【００２４】
さらに、トランスＴＲの一次側回路と二次側回路を１つの基板上に実装する場合には、一次側回路の配線と二次側回路の配線との間を１５mm以上離間させて絶縁距離を確保するのが良い。また、絶縁型信号伝達手段を構成する素子（フォトカプラ）の端子は、半田にて基板に接続し、その端子間に非導電性接着剤を塗布して、一次側の受光素子の端子と二次側の発光素子の端子との間での放電を防止するようにすると良い。
一方、本実施形態の電源装置の一次側には、図１に示すように、ＡＣ入力端子ＩＮ１とフィルタ回路１１との間に接続されたヒューズＦと、ＸコンデンサＣｘと並列に接続された雷サージ吸収用のバリスタＢとが設けられている。このバリスタＢは、主としてＡＣライン間に印加されるノーマルモードサージを吸収する回路として機能する。
【００２５】
さらに、本実施形態においては、トランスＴＲを挟んで一次側のＡＣラインと二次側のアース(ＧＮＤ)との間に、アレスタ（放電管）１４と放電ギャップ手段１５が直列形態に接続されたサージ電圧吸収回路が設けられている。
このように放電ギャップ手段１５を使用することで、各国の安全規格に要求される絶縁距離を確保しつつ、雷サージに対する放電ギャップを設けることができ、雷サージを吸収することができる。また、放電ギャップ手段１５と直列にアレスタ１４が接続されているため、所望の放電特性を有するアレスタを選択して使用することで、放電開始電圧を容易に調整することができる。
【００２６】
より具体的には、上記アレスタ１４−放電ギャップ手段１５の直列回路（サージ電圧吸収回路）の一方の端子（アレスタ１４側端子）は、ヒューズＦとフィルタ回路１１との間に接続され、サージ電圧吸収回路の他方の端子（放電ギャップ手段１５側の端子）は、二次側の出力端子ＯＵＴ２もしくは該出力端子ＯＵＴ２に接続されたアースラインに接続されている。これにより、このアレスタ１４−放電ギャップ手段１５の直列回路は、一次側ＡＣラインと二次側のアースと間に印加されるコモンモードサージを吸収するサージ電圧吸収回路として機能する。なお、アレスタ１４は、ＺｎＯ（酸化亜鉛）素子などからなるギャップレスのサージ保護素子でも、対向する電極を設けたギャップ付きの放電管タイプのサージ保護素子でも良い。
【００２７】
また、図１の回路においては、アレスタ１４−放電ギャップ手段１５の直列回路の一方の端子（アレスタ１４側端子）を、ヒューズＦのないニュートラル側のＡＣラインにバリスタＢと直列となるように接続しているが、ヒューズＦのあるライブ側のＡＣラインに接続しても良い。ただし、その場合、アレスタ１４の端子は、ヒューズＦとフィルタ回路１１との間に接続する。フィルタ回路１１の後段に接続すると、ＬＣ共振により残留電圧が増幅され、後段回路が破損するおそれがあるが、ヒューズＦとフィルタ回路１１との間に接続することでＬＣ共振による後段回路の破損を抑制することができる。
【００２８】
図２（Ａ）〜（Ｄ）には、上記放電ギャップ手段１５の具体例が示されている。このうち、図２（Ａ）は、基板５１上に、一対のニードル状の電極棒５２Ａ，５２Ｂを、先端同士が所定の間隔をおいて対向するように配置したものである。特に限定されるものでないが、電極棒５２Ａ，５２Ｂは、例えば半田等の金属バンプ５３Ａ，５３Ｂによって基板５１上に固着される。
また、図２（Ｂ）は一対のコの字状の電極５４Ａ，５４Ｂを所定の間隔をおいて対向配置したもの、図２（Ｃ）は鋸歯状の電極５４Ａ，５４Ｂを対向配置したもの、図２（Ｄ）は所定の間隔をおいて矩形状の電極５４Ａ，５４Ｂを配置したものである。図２（Ｂ）〜（Ｄ）の電極５４Ａ，５４Ｂは、対向する側に角部が形成されているため、角部に電荷が集中して放電電流が飛び易くなるとともに、放電開始電圧がばらつくのを回避することができる。
【００２９】
さらに、図２（Ｄ）のものにおいては、基板５１に１ｍｍ程度の幅を有するスリット５５が電極５４Ａ，５４Ｂ間に形成されている。電極間に煤が溜まると電極間に電流が流れ易くなって放電機能が損なわれるが、上記のようにスリット５５を電極間に形成することで、基板５１の表面に煤等が付着して放電機能が損なわれたり放電開始電圧が変化したりしてしまうのを防止することができる。図２（Ａ）〜（Ｃ）のものにおいても基板５１に同様なスリットを形成しても良い。
基板５１は、電子部品が実装される一般的なプリント配線基板と同様の材料からなる絶縁基板であり、表面に絶縁性の保護膜が形成され、この保護膜と基板本体との間に、点線で示すような一対の短冊状の導電層（銅シート層）５６Ａ，５６Ｂが介挿されている。
【００３０】
図２（Ａ）〜（Ｄ）において、中央部の長方形の枠５７は表面の保護膜を選択的に除去することで形成された開口部であり、この開口部５７の両側部に上記電極５４Ａ，５４Ｂがそれぞれ配置されている。電極５４Ａ，５４Ｂを省略して、例えばパターンで放電ギャップと回路部を接続するようにしても良い。
電極５４Ａ，５４Ｂは、例えば上記導電層（銅シート層）５６Ａ，５６Ｂの対向側端部をそれぞれ所定の形状（コの字、鋸歯、矩形等）に切断し、その所定形状の端部の上に半田を盛るようにして溶着することで形成される。また、電極５４Ａ，５４Ｂの外側の端部には、それぞれリード線等により他の部品や基板に接続するための電極部５８Ａ，５８Ｂが設けられている。
【００３１】
（第２実施形態）
次に、本発明を適用した電源装置の第２実施形態について説明する。
図３は第２実施形態の電源装置の構成を示すもので、図１の第１実施形態の電源装置と同一の部位には同一の符号を付して重複した説明は省略する。
ＡＣ入力端子（ＩＮ１，ＩＮ２）から雷サージが侵入した場合、放電は回路上で比較的耐圧が弱い所で起こるので、第２実施形態は図１に示す第１の実施形態の電源装置に、耐圧強化のための構成を追加したものである。
具体的には、一次側フィルタ回路１１を構成するコモンモードコイルＬｃのライブ側のコイルおよびニュートラル側のコイルと並列に、アレスタ１６Ａ，１６Ｂをそれぞれ設けている。このようにすることで、ノーマルモードサージやコモンモードサージの侵入時に、コモンモードコイルＬｃなどによるＬＣ共振が発生することで、後段回路が破損されるのを防止することができる。
【００３２】
また、第２実施形態においては、ＥＭＣ対策のためにトランスＴＲの一次側巻き線Ｎｐと二次側巻き線Ｎｓとの間に設けるＹコンデンサとして、２個のコンデンサＣｙ1,Ｃｙ2を直列に接続したものを使用している。このように、２個のコンデンサＣｙ1,Ｃｙ2を直列に接続することで、１個の場合に比べて耐圧を高めることができる。
上記のように、一次側フィルタ回路１１のコモンモードコイルＬｃやトランスＴＲの巻き線間の耐圧を強化することで、意図しない箇所での放電を防ぎ、放電箇所をアレスタ１４−放電ギャップ手段１５の直列回路からなるサージ電圧吸収回路に限定させ、コモンモードの雷サージを有効に吸収することができる。
【００３３】
以上本発明者によってなされた発明を実施形態に基づき具体的に説明したが、本発明は前記実施形態に限定されるものではない。例えば放電ギャップ手段１５の構成は、図２（Ａ）〜（Ｄ）のものに限定されるものでなく、他の構成であっても良い。また、前記第２実施形態の電源装置（図３）では、耐圧強化のために、一次側フィルタ回路１１のコモンモードコイルＬｃと並列にアレスタ１６Ａ，１６Ｂを設けるとともに、トランスＴＲの一次側と二次側との間に直列に接続した２個のコンデンサＣｙ1,Ｃｙ2を設けたものについて説明したが、アレスタ１６Ａ，１６ＢまたはコンデンサＣｙ1,Ｃｙ2のいずれか一方を設けたものであっても良い。
【００３４】
また、前記実施形態では、一次側巻き線と二次側巻き線を有するトランスを使用した電源装置に適用した場合について説明したが、一次側巻き線と二次側巻き線の他に補助巻き線を備え補助巻き線に誘起された電圧に応じて二次側からのフィードバック信号なしに２次側の出力電圧を制御したり、補助巻き線に誘起された電圧を整流した電圧を一次側制御回路の電源電圧としたりするように構成された電源装置に適用しても良い。
さらに、前記実施形態では、フライバック方式の電源装置に適用した場合について説明したが、本発明は、フォワード方式、疑似共振方式、ＬＬＣ方式のような他の回路方式の電源装置にも利用することが可能である。また、本発明は、一次側に力率改善回路を搭載した電源装置にも利用することができる。
【符号の説明】
【００３５】
１１…フィルタ回路、１２…整流回路、１３…一次側制御回路、１４…アレスタ、１５…放電ギャップ手段、１６Ａ，１６Ｂ…アレスタ（放電管）、５１…放電ギャップ手段の基板、５２Ａ，５２Ｂ…電極棒、５４Ａ，５４Ｂ…電極パターン、５５…スリット、５６Ａ，５６Ｂ…導電層、５７…表面保護膜の開口、ＴＲ…トランス、ＳＷ…スイッチング素子（スイッチＭＯＳトランジスタ）、Ｃｙ1，Ｃｙ2…Ｙコンデンサ
【図１】
2020102982.tif 000003
【図２】
2020102982.tif 000004
【図３】
2020102982.tif 000005